(57)【特許請求の範囲】
【請求項１】
剛性材からなる短円筒形の口枠であって、その内径がゴルフボール（Ｂ）の弾性によって、当該ゴルフボール（Ｂ）が填り保持されるべく当該ゴルフボール（Ｂ）の外径より僅かに小さくされた口枠（１１）と、当該口枠（１１）に一体的に連結された円錐台（１２）と、前記口枠（１１）と前記円錐台（１２）とからなる保持部（１）に着脱可能な連結部（２）と、当該連結部（２）に固着され、ゴルフクラブ（５）のグリップ（５１）の先端の小孔（５２）に挿入される所定の長さの支持軸ピン（３）と、を設けたゴルフボール拾い上げ具。
【請求項２】
前記保持部（１）の中心軸が、前記支持軸ピン（３）の軸心に対して垂直、水平、または傾斜角を有した状態で前記保持部（１）を前記連結部（２）に連結可能にする複数の着脱手段（２１、２２、２３）を設けた請求項１に記載のゴルフボール拾い上げ具。
【請求項３】
前記保持部（１）または前記連結部（２）にＴマーク（７）の保持手段（４）を設けた請求項１または請求項２に記載のゴルフボール拾い上げ具。
【発明の詳細な説明】
【０００１】
【発明の属する技術分野】
この発明は、カップインしたゴルフボールまたはコース上の池等に落ちたゴルフボールを拾うためのゴルフボール拾い上げ具に関するものである。
【０００２】
【従来の技術】
従来、この種のゴルフボール拾い上げ具としては、一般的には吸盤や弾性体による保持部材をゴルフクラブのグリップ端に、そのまま直に取付けたり、円筒状の接続部をはめ込むものが考えられている。
いずれも、以下のような欠点が有る。
イ）吸盤や弾性体によるため、摩耗や変形が生じやすく耐久性がない。
ロ）形状が複雑な挟時部なので使用中に挟む力が弱まってしまう。
ハ）ゴルフボールの保持部とゴルフクラブへの装着部が一体に形成されていたり、両者が固着されているので嵩張る。
また、従来のものはカップインしたゴルフボールを拾うだけのものがほとんどで、池等の中に落ちたゴルフボールは拾うことができない。更に、保持具を伸長させて、より離れた位置にあるゴルフボールも拾うことはできなかった。
【０００３】
【発明が解決しようとする課題】
本発明は、前述の種々の欠点をなくし、問題を解決して、多くの要望に応えるためになされたもので、シンプルな形状の剛体で耐久性に優れ、コンパクトに収納や持参することができ、しかも池等の中に落ちたゴルフボールも拾うことができるゴルフボール拾い上げ具の提供を目的とする。
【０００４】
【課題を解決する為の手段】
上記目的を達成するために、本発明のゴルフボール拾い上げ具は、剛性材からなる短円筒形の口枠であって、その内径がゴルフボールの弾性によって、当該ゴルフボールが填り保持されるべく当該ゴルフボールの外径より僅かに小さくされた口枠と、当該口枠に一体的に連結された円錐台と、前記口枠と前記円錐台とからなる保持部に着脱可能な連結部と、当該連結邵に固着され、ゴルフクラブのグリップの先端の小孔に挿入される所定の長さの支持軸ピンと、を設けたものである。
【０００５】
そして、保持部の中心軸が支持軸ピンの軸心に対して垂直、水平、または傾斜角を有した状態で前記保持部を前記連結部に連結可能にする複数の着脱手段を設けることが好ましい。
【０００６】
また、保持部や連結部にＴマークの保持手段を設けることもできる。
【０００７】
さらに、前記の短円筒口または短円筒口と円錐台に、少なくとも指の入る大きさの切除部を設けるとよい。
【０００８】
保持部は剛性材によって形成されているが、短円筒形の口枠はゴルフボールの外径より僅かに小さい内径のため、ゴルフボールの弾性によって口枠に填り、ゴルフボールが保持部から略半球出た位置で保持される。
【０００９】
そして、口枠に一体的に連結した奥側の円錐台はゴルフボールが必要以上に保持部に填り込むことを防止するストッパーとなる。
【００１０】
また、ゴルフボールの表面には無数の窪み（デインブル）があるので、この窪みによって保持部の奥側の空気が抜ける。従って空気抜きの孔は不要である。
【００１１】
保持部との着脱手段を有する連結部により、保持部は支持軸ピンと分離することができる。
【００１２】
ゴルフクラブのグリップの先端の小孔に挿入される所定の長さの支持軸ピンはボール保持部を連結部を介して、保持すると共に挿入した軸の長さを変えることによって保持部の位置を調節（伸長）する。
【００１３】
【発明の実施の形態】
発明の実施の形態を実施例に基づき図面を参照して説明する。
図１は本発明の一実施例の斜視図である。
図２は図１の保持部を連結部から分離した状態の斜視図である。
図１および図２に示すように、アルミニウム等の剛性材による、ゴルフボールＢの外径より僅かに小さい内径の短円筒形の口枠１１に一体的に連結した円錐台１２にて形成するゴルフボールＢを保持する保持部１と、当該保持部１との着脱手段として保持部１の底裏に着脱ネジ１３と当該着脱ネジ１３に噛み合って結合する着脱ネジ孔２１を有する連結部２と、当該連結部２に固着して、ゴルフクラブ５のグリップ５１の先端の小孔５２に挿入できる直径で、ゴルフボールの直径の２倍余りの長さの丸棒の先端をピン状にテーパーとした支持軸ピン３を設けたゴルフボール拾い上げ具である。
【００１４】
尚、本実施例は前記のように、保持部１を分離型としたものであるが、コンパクト性とコストを重要視する場合には、連結部２を省略したり、支持軸ピン３の軸部を短くするか省略して、保持部１と支持軸ピン３を直接連結して、全てを一体化することも考えられる。
また、材質は前記したような金属ばかりでなく、硬質プラスチックや木材等、場合によっては強化ガラス等でも実施することが可能である。
【００１５】
この場合、短円筒形の口枠１１はゴルフボールＢの外径より１ｍｍ程度小さい内径とする。そして、円錐台１２の角度は、ゴルフボールＢが上記口枠１１に保持された時に円錐台１２の内壁がゴルフボールＢに接してストッパーとなるようにする。ちなみに実施例では約６０度としている。
こうしておけば、ゴルフボールＢはＪＩＳで定められた一定の寸法に作られているので、著しい摩耗や変形がない限り容易に保持することができる。
【００１６】
また、図２で示すように、着脱手段としての保持部１の底裏の着脱ネジ１３と当該着脱ネジ１３に噛み合って結合する着脱ネジ孔２１を有する連結部２とは、ネジの二山程度の噛み合いとしたり、複数条のネジにするのが、着脱作業がより容易となって好ましい。
本実施例はネジによる着脱手段としているが、この他カメラレンズ等の筒の内溝方式にしたり、照明電気器具等の円面ピン溝方式も考えられる。
【００１７】
図３は保持部の取付け角度を変えた状態の斜視図である。
先の図２で示すように保持部１を連結する連結部２に支持軸ピン３の軸心に対して角度を有した状態での連結手段として、連結部２の側面に約４５度の傾斜面と垂直面を設けて、上面の着脱ネジ孔Ａ（２１）と同じサイズのネジ孔として、それぞれ着脱ネジ孔Ｂ（２２）と着脱ネジ孔Ｃ（２３）を設ける。
図３（ａ）は傾斜面の着脱ネジ孔Ｂ（２２）と保持部１の着脱ネジ１３を結合した場合で、支持軸ピン３に対して約４５度の傾斜状態で取り付いている。
また、図３（ｂ）は垂直面の着脱ネジ孔Ｃ（２３）と保持部１の着脱ネジ１３を結合した場合で、支持軸ピン３に対して約９０度の状態で取り付いている。
本実施例はネジによる着脱手段の取付け面による二方向の角度変化としているが、この他に連結部２をヒンジ方式にして角度の変化を無段階にしたり、ボールジョイント方式にして全方向に変化可能とすることも考えられる。
【００１８】
図１から図４に示すように、本実施例は全て保持部１にＴマーカ７の保持手段として四角柱のＴマーカ台４を設けた場合である。
Ｔマーカ台４にはＴマーカ７を差し込むことができる孔を有する嵌合ゴム（４１）がはめ込まれている。
尚、Ｔマーカ台４は保持部１ではなく連結部２に付設することもできる。
【００１９】
図４は保持部に切除部を設けた場合の斜視図である。
図４で示すように、前記保持部１の短円筒口１１と円錐台１２に、二箇所対面するように指の入る大きさの切除部１４を設けておく。
この切除部１４は切り欠きが少なくてもよい場合は保持部１の短円筒口１１だけに設けることもできる。また数は二箇所ではなく数箇所でもよい。
【００２０】
図５は本発明の使用方法を示す説明図である。
図５（ａ）はカップインしたゴルフボールを拾い上げる場合であり、図５（ｂ）は、斜め方向にあるゴルフボールを拾う場合であり、図５（ｃ）は水平方向にあるゴルフボールを拾う場合である。
図５（ａ）で示すように、ゴルフクラブ５のグリップ５１の先端の小孔５２に連結部２の支持軸ピン３を挿入することによって、保持部１をゴルフクラブ５の先端に固定して、ゴルフクラブ５を逆さにした状態で保持部１をゴルフボールＢに押し当てて、ゴルフボールＢを保持して引き上げるだけでカップインしたゴルフボールをホールカップ６から拾い上げることができる。
そして、図５（ｂ）で示すように、保持部１を分離して連結部２の着脱ネジ孔Ｂ（２２）に付け直してからグリップ５１の先端の小孔５２に支持軸ピン３を挿入することによって、保持部１が約４５度に傾斜するので斜めの位置から下に向けてゴルフボールＢを拾うことができる。
また、図５（ｃ）で示すように、保持部１を分離して連結部２の着脱ネジ孔Ｃ（２３）に付け直してからグリップ５１の先端の小孔５２に支持軸ピン３を挿入することによって、保持部１が約９０度（垂直）になるので水平の位置からでもゴルフボールＢを拾うことができる。
【００２１】
【発明の効果】
以上の説明の通り、この発明のゴルフボール拾い上げ具によれば、以下のような効果を奏する。
イ）カップインしたゴルフボールを立ったままの姿勢で容易に取り出すことができる。従って、かがむ必要がなく体の負担が少ないので楽に競技ができる。
ロ）カップに水が溜まっている場合でも、手を汚さないでゴルフボールを取り出すことができる。
また、従来のこの種の物に比べて
ハ）独特な形状を成し、口枠でゴルフボールを簡単に保持し、しかも円錐台の内壁がボールのストッパーとなるので、ボールが必要以上に入り込まないので、取り出しやすい。
ニ）形状が複雑な挟時部ではないので使用中に挟む力が弱まってしまうこともなく、剛性材なので摩耗や変形が少なく、耐久性に優れている。
ホ）ゴルフボールの保持部とゴルフクラブへの装着部が分離できるので、コンパクトであり、携帯時やポケット等に収納するのに便利である。
ヘ）支持軸ピンの伸長によって、ゴルフクラブだけでは届かない位置にあるゴルフボールも拾うことができる。
ト）シンプルな構造なので大量に生産でき、安価で提供することができる。
【００２２】
また、請求項２に記載するゴルフボール拾い上げ具によれば、保持具の角度を変えることによって、ゴルフボールが落ちた位置の真上に行くこができない所にあるゴルフボールも拾い上げることができる。
【００２３】
そして、請求項３に記載するゴルフボール拾い上げ具によれば、保持部や連結部にＴマークの保持手段を設けることによって、Ｔマークを常に保持しておくことができ、Ｔマークの紛失を防止することができる。
【００２４】
そして、請求項４に記載するゴルフボール拾い上げ具によれば、保持部に指の入る大きさの切除部１４を設けたことにより、拾い上げたゴルフボールを保持具から取り外す時に、より外し易くなり、簡単・確実に手に持つことができる。
【００２５】
【図面の簡単な説明】
【図１】は本発明の一実施例の斜視図である。
【図２】は図１の保持部を連結部から分離した状態の斜視図である。
【図３】は本発明の保持部の取付け角度を変えた状態の斜視図である。
【図４】は本発明の保持部に切除部を設けた場合の斜視図である。
【図５】は本発明の使用方法を示す説明図である。
【符号の説明】
１  保持部                                    ４  Ｔマーカ台
１１  口枠                                    ４１  嵌合ゴム
１２  円錐台                                  ５  ゴルフクラブ
１３  着脱ネジ                                ５１  グリップ
１４  切除部                                  ５２  小孔
２  連結部                                    ６  ホールカップ
２１  着脱ネジ孔Ａ                            ７  Ｔマーカ
２２  着脱ネジ孔Ｂ                            Ｂ  ゴルフボール
２３  着脱ネジ孔Ｃ
３  支持軸ピン
３１  ピン部
３２  軸部
【図１】
0003721560.tif 000002
【図２】
0003721560.tif 000003
【図３（ａ）】
0003721560.tif 000004
【図３（ｂ）】
0003721560.tif 000005
【図４】
0003721560.tif 000006
【図５（ａ）】
0003721560.tif 000007
【図５（ｂ）】
0003721560.tif 000008
【図５（ｃ）】
0003721560.tif 000009